(57)【要約】【課題】  板金構造の器具本体の落下が防止できる照明器具を提供する。【解決手段】  照明器具１は、光源８を有する器具本体２と、第１および第２の雌ねじ部材９，１０が設けられて、器具本体２の両側に取り付けられた一対の取付板３，３と、取付孔３２および挿通孔３３が形成され、一対の取付板３，３を介して器具本体２を支持するアーム４と、取付孔３２を通して第１の雌ねじ部材９にねじ込まれ、アーム４に一対の取付板３，３を固定する第１の雄ねじ部材５，５と、挿通孔３３を通して第２の雌ねじ部材１０にねじ込まれる第２の雄ねじ部材６，６と、第２の雄ねじ部材６，６を通す筒状に形成され、第２の雄ねじ部材６，６が第２の雌ねじ部材１０，１０にねじ込まれたときに少なくとも挿通孔３３に介在するスペーサ７，７と、を具備している。【選択図】図１
2014137964.tif 000002
【特許請求の範囲】
【請求項１】
光源を有する器具本体と；
この器具本体の両側に取り付けられ、前記器具本体を介して向かい合う面にそれぞれ第１および第２の雌ねじ部材が設けられているとともに、それぞれ前記第１および第２の雌ねじ部材に連通する第１および第２の連通孔が形成されている一対の取付板と；
前記第１の連通孔に対応する取付孔および前記第２の連通孔に対応する挿通孔が形成され、前記一対の取付板の向かい合う面と反対側の面に取り付けられて、前記一対の取付板を介して前記器具本体を支持するアームと；
前記取付孔および前記第１の連通孔を通して前記第１の雌ねじ部材にねじ込まれ、前記アームに前記一対の取付板を固定する第１の雄ねじ部材と；
前記挿通孔および前記第２の連通孔を通して前記第２の雌ねじ部材にねじ込まれる第２の雄ねじ部材と；
この第２の雄ねじ部材を通す筒状に形成され、前記第２の雄ねじ部材が前記第２の雌ねじ部材にねじ込まれたときに少なくとも前記挿通孔に介在するスペーサと；
を具備していることを特徴とする照明器具。
【請求項２】
前記スペーサは、円筒状に形成され、前記挿通孔は、前記スペーサよりも大径の円孔に形成され、前記取付孔は、前記アームに対して前記器具本体が前記挿通孔を支点として搖動可能に円弧状の長孔に形成されていることを特徴とする請求項１記載の照明器具。
【発明の詳細な説明】
【技術分野】
【０００１】
本発明の実施形態は、高天井などの構造物に取り付けられる照明器具に関する。
【背景技術】
【０００２】
天井や頭上の構造物に取り付ける照明器具は、万が一落下すると、直下の人に対して非常に危険であり、床面等を損傷や破壊などするという問題がある。このため、当該照明器具には、器具本体の落下を防止する対策が講じられている（例えば特許文献１参照。）。特に、高天井など、頭上の高い位置に設けられる照明器具に対しては、落下防止手段を備えることが必要条件となってきている。
【０００３】
また、前記照明器具には、器具本体の向きを変えて照射方向を変えるものがある（例えば特許文献２参照。）。当該照明器具は、アームの下端に、上下に回動可能に器具本体が設けられている。このような、照射方向を変える構造の照明器具でも、落下防止手段を備えることが必要条件となってきている。従来、当該照明器具は、器具本体をアルミダイカストなどのブロックで構成しており、アーム取付部も器具本体と一体構造のブロック体となっている。
【先行技術文献】
【特許文献】
【０００４】
【特許文献１】特開２０００−１２３６３０号公報（第３頁、第１図）
【特許文献２】特開２０１０−２６７４３１号公報（第４頁、第１図）
【発明の概要】
【発明が解決しようとする課題】
【０００５】
高天井などに使用される照明器具は、器具本体の軽量化が切望されている。しかし、器具本体をアルミダイカストなどの鋳造で構成すると、器具本体の軽量化には限界があった。また、器具本体の軽量化を実現するために、器具本体を板金で構成すると、アーム取付部での器具本体の回動と重量を支持する強度が不足するものであった。
【０００６】
本発明の実施形態は、板金構造の器具本体の落下が防止できる照明器具を提供することを目的とする。
【課題を解決するための手段】
【０００７】
実施形態の照明器具は、器具本体、一対の取付板、アーム、第１の雄ねじ部材、第２の雄ねじ部材およびスペーサを有して構成される。
器具本体は、光源を有する。
【０００８】
一対の取付板は、器具本体の両側に取り付けられている。一対の取付板には、第１および第２の雌ねじ部材が設けられているとともに、第１および第２の連通孔が形成されている。第１および第２の雌ねじ部材は、器具本体を介して向かい合う面にそれぞれ設けられ、第１および第２の連通孔は、それぞれ第１および第２の雌ねじ部材に連通するように形成されている。
【０００９】
アームは、一対の取付板を介して器具本体を支持するものであり、一対の取付板の向かい合う面と反対側の面に取り付けられる。そして、アームには、一対の取付板の第１の連通孔に対応する取付孔および第２の連通孔に対応する挿通孔が形成されている。
【００１０】
第１の雄ねじ部材は、アームに一対の取付板を固定するものであり、アームの取付孔および一対の取付板の第１の連通孔を通して第１の雌ねじ部材にねじ込まれる。第２の雄ねじ部材は、アームの挿通孔および一対の取付板の第２の連通孔を通して第２の雌ねじ部材にねじ込まれる。
【００１１】
スペーサは、第２の雄ねじ部材を通す筒状に形成されている。そして、第２の雄ねじ部材が一対の取付板の第２の雌ねじ部材にねじ込まれたときに少なくともアームの挿通孔に介在するものである。
【発明の効果】
【００１２】
本実施形態によれば、第２の雄ねじ部材がスペーサ、アームの挿通孔および一対の取付板の第２の連通孔を通って第２の雌ねじ部材にねじ込まれるとともに、スペーサがアームの挿通孔に介在するので、器具本体が板金構造であって、第１の雄ねじ部材が一対の取付板の第１の雌ねじ部材にねじ込まれていなくても、アームが第２の雌ねじ部材およびスペーサ部分で器具本体を強固に支持し、これにより、器具本体の落下を防止できることが期待できる。
【図面の簡単な説明】
【００１３】
【図１】本発明の実施形態を示す照明器具の概略正面図である。
【図２】同上、照明器具の概略側面図である。
【図３】同上、照明器具の概略下面図である。
【図４】同上、照明器具の概略上面図である。
【図５】同上、取付板の概略正面図である。
【図６】同上、取付板の概略背面図である。
【図７】同上、取付板の概略側面図である。
【図８】同上、取付板の概略側断面図である。
【発明を実施するための形態】
【００１４】
以下、本発明の一実施の形態について、図面を参照して説明する。
【００１５】
本実施形態の照明器具１は、例えば高天井に取り付けられるものであり、図１〜図４に示すように構成されている。図中、２は器具本体、３，３は一対の取付板、４はアーム、５は第１の雄ねじ部材としての第１のボルト、６は第２の雄ねじ部材としての第２のボルト、７はスペーサ、８は光源としてのＬＥＤモジュール、９は第１の雌ねじ部材としての第１のナット、１０は第２の雌ねじ部材としての第２のナットである。照明器具１は、アーム４が例えば高天井に固定され、器具本体２の向きを変えることにより照射方向を変えることができるように形成されている。
【００１６】
器具本体２は、例えば厚さ１．２ｍｍの鋼板により形成されている。そして、器具本体２は、図４に示すように、２個の器具ユニット１１を連結板１２や不図示の連結棒などにより結合して構成され、全体として正四角形の略箱状に形成されている。器具ユニット１１は、長方形の略箱状に形成され、図３に示すように、内部に２個の光源ユニット１３を配設している。
【００１７】
光源ユニット１３は、４個の光源としてのＬＥＤモジュール８を有して形成されている。ＬＥＤモジュール８は、四角形状の基板１４およびこの基板１４上にマトリックス状に実装されたＬＥＤ素子１５を有して形成されている。ＬＥＤ素子１５は、例えば白色光を放射するものである。光源ユニット１３の背面側には、図１に示すように、複数個の板状の放熱器（放熱板）１６が一定間隔で設けられている。放熱器１６は、熱伝導性の良好な金属例えばアルミニウム（Ａｌ）からなっている。
【００１８】
そして、各器具ユニット１１の上板１１ａには、長方形の点灯ボックス１７がそれぞれ配設されている。点灯ボックス１７内には、ＬＥＤモジュール８のＬＥＤ素子１５を点灯する不図示の点灯装置が形成されている。点灯装置は、ＬＥＤ素子１５に定電流を供給する既知の回路構成により形成されている。点灯ボックス１７には、外部電源からの不図示の電源コードおよびＬＥＤモジュール８に接続される不図示の出力コードがそれぞれ導入される通孔１８，１９が設けられている。こうして、器具本体２は、光源としてのＬＥＤモジュール８を有して形成されている。
【００１９】
器具本体２の両側には、一対の取付板３，３が取り付けられている。本実施形態では、一対の取付板３，３は、各器具ユニット１１の短手方向の両側にそれぞれ取り付けられているとともに、図２に示すように、器具ユニット１１の長手方向の中央に取り付けられている。一対の取付板３，３は、図１に示すように、器具ユニット１１を介して正対するように取り付けられている。器具本体２の両側の一対の取付板３，３は、器具本体２を介して正対している。
【００２０】
取付板３は、図５に示すように、例えば、１枚の長方形の鋼板をＬ形に折曲して、水平板部２０および垂直板部２１に形成している。当該鋼板の厚さは、器具本体２と同様に、例えば１．２ｍｍである。取付板３は、その水平板部２０が器具ユニット１１の上板１１ａに２個のねじ２２により取り付けられている。すなわち、上板１１ａにねじ２２の不図示の通孔が形成され、水平板部２０にねじ２２が螺合する不図示のねじ部が形成されている。また、取付板３は、図７に示すように、点灯ボックス１７から所定長離れるようにして取り付けられている。一対の取付板３，３の水平板部２０，２０は、器具ユニット１１（器具本体２）を介して互いに向かい合っている。一対の取付板３，３は、上記取付けにより器具本体２と一体化している。
【００２１】
そして、垂直板部２１，２１の互いに向き合う面、すなわち垂直板部２１，２１の内側面２１ｂ，２１ｂに、それぞれ第１のナット９および第２のナット１０が設けられている。第１および第２のナット９，１０は、垂直板部２１の内側面２１ｂに溶接されて固定されている。また、第１および第２のナット９，１０は、第１のナット９が水平板部２０側となるように設けられているとともに、図６に示すように、垂直板部２１の幅方向の中央において垂直板部２１の突出方向（起立方向）に所定の間隔で設けられている。
【００２２】
そして、垂直板部２１，２１には、図８に示すように、それぞれ第１のナット９の雌ねじ部に連通する第１の連通孔２３および第２のナット１０の雌ねじ部に連通する第２の連通孔２４が形成されている。第１の連通孔２３は、第１のボルト５の雄ねじ部が挿通する大きさの例えば円孔に、第２の連通孔２４は、第２のボルト６の雄ねじ部が挿通する大きさの例えば円孔にそれぞれ形成されている。
【００２３】
器具本体２の両側に取り付けられた一対の取付板３，３には、図１に示すように、第１および第２のボルト５，６によりアーム４が取り付けられている。アーム４は、例えば厚さ１．２ｍｍの１枚の鋼板を折曲等して形成したものである。すなわち、アーム４は、平面状の水平部２５、この水平部２５の長手方向両側から互いに近づくように折曲形成された傾斜部２６，２６、傾斜部２６，２６の先端から垂下して形成された垂下部２７，２７および水平部２５の短手方向両側から傾斜部２６，２６側に直角に折曲形成された側片部２８，２８（図１中、一方のみを示す。）に形成されている。アーム４は、側片部２８，２８を除き、取付板３とほぼ同幅に形成されている。
【００２４】
また、アーム４は、中間部材２９を有している。中間部材２９は、１枚の四角形の鋼板に切り込みを形成し、それぞれ互いに正対する一対の固定板３０，３０および一対の支持板３１，３１（図１中、一方のみを示す。）が互いに反対側となるように折曲形成されている。そして、一対の支持板３１，３１がそれぞれ２個のねじ３２により、側片部２８，２８に取り付けられている。
【００２５】
アーム４は、その垂下部２７，２７が器具本体２の両側に取り付けられた一対の取付板３，３に取り付けられている。垂下部２７，２７は、図７または図８に示すように、一対の取付板３，３の垂直板部２１の内側面２１ｂ，２１ｂと反対側の面である外側面２１ａ，２１ａに取り付けられている。垂下部２７，２７には、図８に示すように、取付孔３２および挿通孔３３が形成されている。挿通孔３３は、取付板３の第２の連通孔２４に対応して設けられたものであり、第２のボルト６の雄ねじ部が挿通する円孔に形成されている。また、取付孔３２は、取付板３の第１の連通孔２３に対応して設けられたものであり、図２または図５に示すように、アーム４に対して器具本体２が挿通孔３３を支点として搖動可能に円弧状の長孔に形成されている。垂下部２７，２７のそれぞれの先端側は、半円に形成されている。
【００２６】
そして、図８に示すように、取付孔３２および取付板３の第１の連通孔２３を通して、第１のボルト５が取付板３の第１のナット９にねじ込まれている。ここで、第１のボルト５は、その頭部５ａとアーム４の垂下部２７との間に、座金３４およびワッシャー３５を介在させている。第１のボルト５は、その頭部５ａと取付板３の第１のナット９とにより、座金３４およびワッシャー３５を介して取付板３の垂直板部２１およびアーム４の垂下部２７を強固に挟持するように、第１のナット９に完全にかつ強くねじ込まれている。これにより、第１のボルト５，５は、アーム４に一対の取付板３，３を固定している。アーム４は、一対の取付板３，３を介して器具本体２を支持している。
【００２７】
また、アー４の垂下部２７，２７には、第２のボルト６，６が設けられている。第２のボルト６は、スペーサ７、垂下部２７の挿通孔３３および取付板３の垂直板部２１の第２の連通孔２４を通して、取付板３の第２のナット１０にねじ込まれている。第２のボルト６は、その頭部６ａと取付板３の垂直板部２１との間でスペーサ７を挟持するように、取付板３の第２のナット１０にねじ込まれている。これにより、第２のボルト６，６は、スペーサ７，７を介してアーム４に一対の取付板３，３を支持している。
【００２８】
スペーサ７は、例えば鋼板からなり、第２のボルト６を通す円筒状に形成され、その外径が取付板３の第２の連通孔２４よりも大きくかつアーム４の垂下部２７の挿通孔３３よりも小さくなるように形成されている。すなわち、挿通孔３３は、スペーサ７を挿入可能にスペーサ７よりも大径の円孔に形成されている。ここで、挿通孔３３は、その内壁とスペーサ７との隙間が可能な限り小さくなるように形成されるのが好ましい。
【００２９】
また、スペーサ７は、第２のボルト６が取付板３の第２のナット１０に完全にねじ込まれたときに少なくとも垂下部２７の挿通孔３３に介在する全長を有している。本実施形態では、垂下部２７の厚さ以上の全長を有してなり、垂下部２７から突出するように設けられている。
【００３０】
図１において、アーム４は、その中間部材２９の一対の固定板３０，３０がそれぞれ器具ユニット１１の他方の取付板３，３に取り付けられている。当該固定板３０，３０には、垂下部２７，２７と同様に、それぞれ不図示の挿通孔３３が設けられている。そして、当該固定板３，３は、スペーサ７および第２のボルト６により、取付板３，３に取り付けられている。これにより、アーム４は、その中間部材２９により、器具本体２の中央部を支持している。
【００３１】
そして、アーム４の水平部２５には、図４に示すように、アーム４を高天井にボルトで取り付けるための複数個のボルト用穴３６および外部電源からの電源コードを点灯ボックス１７側に引き込むための電源穴３７が設けられている。
【００３２】
次に、本実施形態の作用について説明する。
【００３３】
第１のボルト５，５は、アーム４の垂下部２７，２７の取付孔３２，３２から一対の取付板３，３の第１のナット９，９に完全にねじ込まれる。これにより、器具本体２は、その両側において、アーム４に支持され、固定される。
【００３４】
また、第２のボルト６，６は、アーム４の垂下部２７，２７の挿通孔３３，３３から器具本体２の両側に取り付けられた一対の取付板３，３の第２のナット１０，１０に完全にねじ込まれる。他の第２のボルト６，６は、中間部材２９の一対の固定板３０，３０の挿通孔３３，３３から他の取付板３，３の第２のナット１０，１０に完全にねじ込まれる。これにより、器具本体２は、第２のボルト６，６および他の第２のボルト６，６によってもアーム４に支持される。特に、器具本体２は、その両側に加えて、その中央部が中間部材２９を介してアーム４に支持されるので、アーム４に強固に支持される。
【００３５】
そして、器具本体２は、第１のボルト５，５の締め付けを緩めると、複数個の第２のボルト６を回転軸として搖動可能となる。すなわち、アーム４の垂下部２７，２７および中間部材２９の一対の固定板３０，３０のそれぞれの挿通孔３３は、スペーサ７よりも大径の円孔に形成されているので、挿通孔３３の内壁とスペーサ７との間には隙間がある。複数個の第２のボルト６は、アーム４に器具本体２を支持した状態で回転可能となる。このとき、スペーサ７は、円筒状に形成されているので、円孔の挿通孔３３内でスムーズに回転する。また、スペーサ７が介在することにより、第２のボルト６の雄ねじ部が傷つき、破損することが抑制される。器具本体２は、アーム４の垂下部２７，２７に形成された円弧状の取付孔３２，３２の形成範囲で搖動可能となる。
【００３６】
アーム４に対する器具本体２の向きを変えるようにすると、器具本体２は、複数個の第２のボルト６を回転軸として搖動し、一対の取付板３，３の第１の連通孔２３および第１のナット９が円弧状の取付孔３２，３２に沿って移動する。そして、器具本体２の向きを確定した後、第１のボルト６，６を第１のナット９，９に完全にねじ込む。これにより、器具本体２は、アーム４に対して向きを変えた状態でアーム４に固定される。本実施形態では、図２に示すように、器具本体２は、アーム４に対して±３０°の範囲で搖動可能となっている。
【００３７】
そして、第１のボルト５，５を緩めたときに、第１のボルト５，５が第１のナット９，９から取り外れて落下することがある。このとき、器具本体２は、複数個の第２のボルト６によりアーム４に支持されるので、器具本体２の落下が防止される。
【００３８】
本実施形態の照明器具１によれば、第２のボルト６がスペーサ７、アーム４の挿通孔３３および一対の取付板３，３の第２の連通孔２４を通って第２のナット９にねじ込まれるとともに、スペーサ７がアーム４の挿通孔３３に介在するので、器具本体２が例えば鋼板により板金構造で形成されていて、第１のボルト５，５が一対の取付板３，３の第１のナット９，９から取り外れても、アーム４が一対の取付板３，３を介して器具本体４を強固に支持し、これにより、器具本体２の落下を防止できるという効果を有する。また、器具本体２が板金構造で形成されることにより、器具本体２を軽量にかつ安価に形成することができるという効果を有する。
【００３９】
また、スペーサ７は、円筒状に形成され、アーム４の挿通孔３３は、スペーサ７よりも大径の円孔に形成され、取付孔３２がアーム４に対して器具本体２を搖動可能に円弧状の長孔に形成されているので、第２のボルト６が傷つき、破損することなく器具本体２の向きを変えることができてＬＥＤモジュール８の放射光の照射方向を変えることができるという効果を有する。
【００４０】
なお、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４１】
１…照明器具、  ２…器具本体、  ３，３…一対の取付板、  ４…アーム、  ５…第１の雄ねじ部材としての第１のボルト、  ６…第２の雄ねじ部材としての第２のボルト、  ７…スペーサ、  ８…光源としてのＬＥＤモジュール、  ９…第１の雌ねじ部材としての第１のナット、  １０…第２の雌ねじ部材としての第２のナット、  ２３…第１の連通孔、  ２４…第２の連通孔、  ３２…取付孔、  ３３…挿通孔
【図１】
2014137964.tif 000003
【図２】
2014137964.tif 000004
【図３】
2014137964.tif 000005
【図４】
2014137964.tif 000006
【図５】
2014137964.tif 000007
【図６】
2014137964.tif 000008
【図７】
2014137964.tif 000009
【図８】
2014137964.tif 000010